【手続補正書】
【提出日】平成16年9月28日(2004.9.28)
【手続補正１】
【補正対象書類名】明細書
【補正対象項目名】特許請求の範囲
【補正方法】変更
【補正の内容】
【特許請求の範囲】
【請求項１】
物体側より順に、正パワーの第１レンズ群、正パワーの第２レンズ群よりなり、前記第１レンズ群は、物体側が凹面の負メニスカスレンズを最も物体側に配置し、無限遠物点合焦時から最至近物点へのフォーカシング時に、前記第１レンズ群と前記第２レンズ群との間隔を変化させそれぞれ独立に物体側へ移動させることを特徴とするマクロレンズ。
【請求項２】
前記第１レンズ群中に絞りを配置したことを特徴とする請求項１記載のマクロレンズ。
【請求項３】
前記負メニスカスレンズと前記絞りとの間に複数の正レンズを含むことを特徴とする請求項２記載のマクロレンズ。
【請求項４】
前記絞りの直前及び直後のレンズを負レンズとしたことを特徴とする請求項２又は３記載のマクロレンズ。
【請求項５】
前記正の第１レンズ群が、物体側から順に、前記物体側が凹面の負メニスカスレンズ、正レンズ群、像側面よりも物体側面が曲率半径の絶対値の小さい面の正レンズ、物体側面よりも像側面が曲率半径の絶対値の小さい面の負レンズ、絞り、像側面よりも物体側面が曲率半径の絶対値の小さい面の負レンズ、物体側面よりも像側面が曲率半径の絶対値の小さい面の正レンズ、を有することを特徴とする請求項１記載のマクロレンズ。
【請求項６】
前記第２レンズ群が、正レンズと負レンズとを接合させた接合正レンズを有することを特徴とする請求項１から５の何れか１項記載のマクロレンズ。
【請求項７】
物体側より順に、正パワーの第１レンズ群、負パワーの第２レンズ群、正パワーの第３レンズ群よりなり、前記第１レンズ群は、物体側が凹面の負メニスカスレンズを最も物体側に配置し、無限遠物点合焦時から最至近物点へのフォーカシング時に、各レンズ群の間隔を変化させそれぞれ独立に物体側へ移動させることを特徴とするマクロレンズ。
【請求項８】
前記第２レンズ群中に絞りを配置したことを特徴とする請求項７記載のマクロレンズ。
【請求項９】
前記第１レンズ群が、前記負メニスカスレンズの像側に複数の正レンズを含んでなることを特徴とする請求項８記載のマクロレンズ。
【請求項１０】
前記絞りの直前及び直後のレンズを負レンズとしたことを特徴とする請求項８又は９記載のマクロレンズ。
【請求項１１】
前記正の第１レンズ群及び前記負の第２レンズ群の合成レンズ系が、物体側から順に、前記物体側が凹面の負メニスカスレンズ、正レンズ群、像側面よりも物体側面が曲率半径の絶対値の小さい面の正レンズ、物体側面よりも像側面が曲率半径の絶対値の小さい面の負レンズ、絞り、像側面よりも物体側面が曲率半径の絶対値の小さい面の負レンズ、物体側面よりも像側面が曲率半径の絶対値の小さい面の正レンズ、を有することを特徴とする請求項７又は８記載のマクロレンズ。
【請求項１２】
前記第３レンズ群が、正レンズと負レンズとを接合させた接合正レンズを有することを特徴とする請求項７から１１の何れか１項記載のマクロレンズ。
【請求項１３】
以下の条件（３−１）、（４−１）を満足することを特徴とする請求項１から６の何れか１項記載のマクロレンズ。
０．５＜ｆ1 ／ｆL ＜１．８                        ・・・（３−１）
１．８＜ｆ2 ／ｆL ＜３．５                        ・・・（４−１）
ただし、ｆ1 は第１レンズ群の焦点距離、ｆ2 は第２レンズ群の焦点距離、ｆL は無限遠物点合焦時における全系の焦点距離である。
【請求項１４】
以下の条件（３−２）、（４−２）を満足することを特徴とする請求項７から１２の何れか１項記載のマクロレンズ。
０．５＜ｆ1 ／ｆL ＜１．８                        ・・・（３−２）
１．８＜ｆ3 ／ｆL ＜３．５                        ・・・（４−２）
ただし、ｆ1 は第１レンズ群の焦点距離、ｆ3 は第３レンズ群の焦点距離、ｆL は無限遠物点合焦時における全系の焦点距離である。
【請求項１５】
以下の条件（１）を満足することを特徴とする請求項１から１４の何れか１項記載のマクロレンズ。
−４＜ｆF ／ｆL ＜−１                                ・・・（１）
ただし、ｆF は最も物体側の負メニスカスレンズの焦点距離、ｆL は無限遠物点合焦時における全系の焦点距離である。
【請求項１６】
以下の条件（２）を満足することを特徴とする請求項１から１５の何れか１項記載のマクロレンズ。
−１２．５＜（ｒ1 ＋ｒ2 ）／（ｒ1 −ｒ2 ）＜−０．８５・・・（２）
ただし、ｒ1 は最も物体側の負メニスカスレンズの物体側面曲率半径、ｒ2 は最も物体側の負メニスカスレンズの像側面曲率半径である。
【請求項１７】
最至近物点合焦時に以下の条件（５）を満足することを特徴とする請求項１から１６の何れか１項記載のマクロレンズ。
−１．０＜ＭＧ＜−０．４                              ・・・（５）
ただし、ＭＧは最大撮影倍率である。
【請求項１８】
以下の条件（７）を満足することを特徴とする請求項１から１７の何れか１項記載のマクロレンズ。
１．０＜Ｆ＜３．０                                    ・・・（７）
ただし、Ｆは無限遠物点合焦時かつ絞り開放時のＦナンバーである。
【請求項１９】
以下の条件（８）を満足することを特徴とする請求項１から１８の何れか１項記載のマクロレンズ。
０．４＜Δｄ1 ／ｆL ＜０．８                          ・・・（８）
ただし、Δｄ1 は無限遠物点合焦時から最至近物点合焦時における第１レンズ群の繰り出し量、ｆL は無限遠物点合焦時における全系の焦点距離である。
【請求項２０】
請求項１から１９の何れか１項記載のズームレンズと、その像側に配された撮像範囲を制限する機構とを設けたことを特徴とするカメラ。
【請求項２１】
以下の条件（６）を満足することを特徴とする請求項２０記載のカメラ。
７°＜ＳＷ＜１６°                                    ・・・（６）
ただし、ＳＷは無限遠合焦時におけるカメラ本体の撮像範囲における最大像高に入射する対角光線の入射半画角であり、撮像面の撮像範囲が任意に変更可能な場合はその取り得る範囲の最大値である。
【請求項２２】
前記撮像範囲を制限する機構が矩形の開口からなる視野絞りであることを特徴とする請求項２０又は２１記載のカメラ。
【請求項２３】
前記撮像範囲を制限する機構が矩形の撮像領域を持つ電子撮像素子であることを特徴とする請求項２０又は２１記載のカメラ。
【請求項２４】
以下の条件（６）を満足するように形成されたカメラ本体と着脱可能とするマウント部を備えたことを特徴とする請求項１から１９の何れか１項記載のマクロレンズ。
７°＜ＳＷ＜１６°                                    ・・・（６）
ただし、ＳＷは無限遠合焦時におけるカメラ本体の撮像範囲における最大像高に入射する対角光線の入射半画角であり、撮像面の撮像範囲が任意に変更可能な場合はその取り得る範囲の最大値である。
【請求項２５】
以下の条件（９）、（１０）を満足することを特徴とする請求項１乃至１９何れか１項記載のマクロレンズ。
１３ｍｍ＞ＩＨ＞１０ｍｍ                              ・・・（９）
３．５＞ｆb ／ＩＨ                                  ・・・（１０）
ただし、ＩＨは無限遠物点合焦時におけるイメージサークル半径、ｆb は無限遠物点合焦時におけるレンズ系のバックフォーカスである。
【請求項２６】
以下の条件（１１）を満足することを特徴とする請求項２３記載のカメラ。
１°＜｜ＥＷ｜＜１１°                            ・・・（１１）
ただし、ＥＷは無限遠物点合焦時におけるカメラ本体の撮像面における最大像高に入射する対角主光線の射出光線と光軸とのなす角であり、撮像面の撮像範囲が任意に変更可能な場合はその取る得る範囲の像高最大位置における値である。